(57)【要約】第１の分散ユニット（ＤＵ）を動作させるための方法が、第２のＤＵとのリンクレイヤコンテキスト転送に参加するステップと、モバイルデバイスのためのユーザデータ経路を確立するステップであって、ユーザデータ経路は、モバイルデバイスと通信する無線制御プロトコルエンティティを含む集中ユニット（ＣＵ）とモバイルデバイスを接続する、ステップと、ＣＵから受信されたモバイルデバイスのための第１のユーザデータ、および第２のＤＵから受信されたモバイルデバイスのための第２のユーザデータを記憶するステップとを含む。この方法は、モバイルデバイスとの接続を確立するステップと、第１のユーザデータおよび第２のユーザデータをモバイルデバイスに送るステップと、ＣＵとモバイルデバイスとの間でデータを交換するために第１のＤＵにおいて動作するようにリンクレイヤコンテキストを適合させるステップとを含み、リンクレイヤコンテキストを適合させるステップは、第１のＤＵの最上位プロトコルレイヤをＣＵの最下位プロトコルレイヤに関連付けるステップを含む。
2019517760.tif 000002
【特許請求の範囲】
【請求項１】
第１の分散ユニット（ＤＵ）を動作させるための方法であって、
前記第１のＤＵによって、第２のＤＵとのリンクレイヤコンテキストの転送に参加するステップと、
前記第１のＤＵによって、モバイルデバイスのためのユーザデータ経路を確立するステップであって、前記ユーザデータ経路は、前記モバイルデバイスと通信する無線制御プロトコルエンティティを含む集中ユニット（ＣＵ）と前記モバイルデバイスを接続する、ステップと、
前記第１のＤＵによって、前記ＣＵから受信された前記モバイルデバイスのための第１のユーザデータを記憶するステップと、
前記第１のＤＵによって、前記第２のＤＵから受信された前記モバイルデバイスのための第２のユーザデータを記憶するステップと、
前記第１のＤＵによって、前記モバイルデバイスとの接続を確立するステップと、
前記第１のＤＵによって、前記第１のユーザデータおよび前記第２のユーザデータを前記モバイルデバイスに送るステップと、
前記第１のＤＵによって、前記ＣＵと前記モバイルデバイスとの間でデータを交換するために前記第１のＤＵにおいて動作するように前記リンクレイヤコンテキストを適合させるステップとを含み、前記リンクレイヤコンテキストを適合させるステップは、前記第１のＤＵの最上位プロトコルレイヤを前記ＣＵの最下位プロトコルレイヤに関連付けるステップを含む方法。
【請求項２】
前記第１のＤＵによって、前記第２のＤＵから受信された前記ＣＵのための第３のユーザデータを記憶するステップと、
前記第１のＤＵによって、前記第３のユーザデータを前記ＣＵに送るステップと
をさらに含む請求項１に記載の方法。
【請求項３】
前記第１のユーザデータは、前記第２のユーザデータを送るステップの後に送られる請求項１に記載の方法。
【請求項４】
前記第１のＤＵは、宛先ＤＵであり、前記第２のＤＵは、発信元ＤＵである請求項１に記載の方法。
【請求項５】
前記リンクレイヤコンテキストの転送に参加するステップは、前記第２のＤＵから前記リンクレイヤコンテキストを受信するステップを含む請求項１に記載の方法。
【請求項６】
前記リンクレイヤコンテキストは、前記モバイルデバイスのためのものである請求項１に記載の方法。
【請求項７】
第２の分散ユニット（ＤＵ）を動作させるための方法であって、
前記第２のＤＵによって、第１のＤＵとのリンクレイヤコンテキストの転送に参加するステップと、
前記第２のＤＵによって、モバイルデバイスと通信する無線制御プロトコルエンティティを含む集中ユニット（ＣＵ）との前記モバイルデバイスのためのユーザデータ経路を解放するステップと、
前記第２のＤＵによって、前記ＣＵから受信された前記モバイルデバイスのための第１のユーザデータを記憶するステップと、
前記第２のＤＵによって、前記モバイルデバイスとの接続が確立されていることを示す第１のインジケーションを受信するステップと、
前記第２のＤＵによって、前記第１のユーザデータを前記モバイルデバイスに送るステップとを含む方法。
【請求項８】
前記第２のＤＵによって、前記モバイルデバイスから受信された前記ＣＵのための第２のユーザデータを記憶するステップと、
前記第２のＤＵによって、前記第１のインジケーションを受信した後、前記第２のユーザデータを前記ＣＵに送るステップと
をさらに含む請求項７に記載の方法。
【請求項９】
前記第２のＤＵによって、前記モバイルデバイスに関連付けられたリンクレイヤを前記第１のＤＵに転送するように前記モバイルデバイスを促す第２のインジケーションを送るステップ
をさらに含む請求項７に記載の方法。
【請求項１０】
集中ユニット（ＣＵ）を動作させるための方法であって、
前記ＣＵによって、前記ＣＵと第１の分散ユニット（ＤＵ）との間の第１の経路の解放に参加するステップと、
前記ＣＵによって、モバイルデバイスのための第１のユーザデータを記憶するステップと、
前記ＣＵによって、前記ＣＵと第２のＤＵとの間の第２の経路の確立に参加するステップと、
前記ＣＵによって、前記第１のユーザデータを前記第２のＤＵに送るステップとを含む方法。
【請求項１１】
前記ＣＵによって、前記第１の経路を解放する前に前記モバイルデバイスのための第２のユーザデータを前記第１のＤＵに送るステップをさらに含む請求項１０に記載の方法。
【請求項１２】
前記ＣＵによって、前記第２のＤＵから第３のユーザデータを受信するステップをさらに含む請求項１０に記載の方法。
【請求項１３】
モバイルデバイスを動作させるための方法であって、
前記モバイルデバイスによって、前記モバイルデバイスに関連付けられたリンクレイヤを第１の分散ユニット（ＤＵ）に転送するように前記モバイルデバイスを促すインジケーションを受信するステップと、
前記モバイルデバイスによって、前記第１のＤＵおよび第２のＤＵとのハンドオーバに参加するステップと、
前記モバイルデバイスによって、前記第２のＤＵから第１のユーザデータを受信するステップとを含む方法。
【請求項１４】
前記モバイルデバイスによって、前記ハンドオーバに参加する前に第２のユーザデータを前記第１のＤＵに送るステップをさらに含む請求項１３に記載の方法。
【請求項１５】
前記モバイルデバイスによって、レイヤ２構成情報を受信するステップをさらに含む請求項１３に記載の方法。
【請求項１６】
前記モバイルデバイスによって、前記ハンドオーバに参加した後、第３のユーザデータを前記第２のＤＵに送るステップをさらに含む請求項１５に記載の方法。
【請求項１７】
前記レイヤ２構成情報は、前記モバイルデバイスと前記第２のＤＵとの間の接続に関する情報を含む請求項１５に記載の方法。
【請求項１８】
１つまたは複数のプロセッサと、
前記１つまたは複数のプロセッサによって実行するためのプログラミングを記憶するコンピュータ可読記憶媒体と
を含む第１の分散ユニット（ＤＵ）であって、前記プログラミングは、
第２のＤＵとのリンクレイヤコンテキストの転送に参加し、
モバイルデバイスのためのユーザデータ経路であって、前記モバイルデバイスと通信する無線制御プロトコルエンティティを含む集中ユニット（ＣＵ）と前記モバイルデバイスを接続するユーザデータ経路を確立し、
前記ＣＵから受信された前記モバイルデバイスのための第１のユーザデータを記憶し、
前記第２のＤＵから受信された前記モバイルデバイスのための第２のユーザデータを記憶し、
前記モバイルデバイスとの接続を確立し、
前記第１のユーザデータおよび前記第２のユーザデータを前記モバイルデバイスに送り、
前記ＣＵと前記モバイルデバイスとの間でデータを交換するために前記第１のＤＵにおいて動作するように前記リンクレイヤコンテキストを適合させるように前記第１のＤＵを構成するための命令を含み、前記リンクレイヤコンテキストを適合させることは、前記第１のＤＵの最上位プロトコルレイヤを前記ＣＵの最下位プロトコルレイヤに関連付けることを含む、第１のＤＵ。
【請求項１９】
前記プログラミングは、前記第２のＤＵから受信された前記ＣＵのための第３のユーザデータを記憶し、前記第３のユーザデータを前記ＣＵに送るように前記第１のＤＵを構成するための命令を含む請求項１８に記載の第１のＤＵ。
【請求項２０】
前記プログラミングは、前記第２のＤＵから前記リンクレイヤコンテキストを受信するように前記第１のＤＵを構成するための命令を含む請求項１８に記載の第１のＤＵ。
【発明の詳細な説明】
【技術分野】
【０００１】
本願は、２０１７年４月４日に出願された「Ｓｙｓｔｅｍ  ａｎｄ  Ｍｅｔｈｏｄ  ｆｏｒ  Ｃｅｌｌ  Ｓｗｉｔｃｈｉｎｇ」という名称の米国特許本出願第１５／４７８，９０８号明細書に対する優先権を主張し、この出願は、２０１６年６月１０日に出願された「Ｓｙｓｔｅｍ  ａｎｄ  Ｍｅｔｈｏｄ  ｆｏｒ  Ｃｅｌｌ  Ｓｗｉｔｃｈｉｎｇ」という名称の米国特許仮出願第６２／３４８，４７５号明細書からの優先権を主張するものであり、これらの特許出願は共に、それらの全体が参照により複製されたかのように本明細書に組み込まれる。
【０００２】
本開示は、一般にデジタル通信のためのシステムおよび方法に関し、特定の実施形態では、セルスイッチングのためのシステムおよび方法に関する。
【背景技術】
【０００３】
第５世代（５Ｇ）セルラ無線アクセス技術（ＲＡＴ）のためのｎｅｗ  ｒａｄｉｏ（ＮＲ）設計は、無線ネットワーク機能を、集中ユニット（または制御ユニット）（ＣＵ）および分散ユニット（ＤＵ）と呼ばれるエンティティ間で分割すると広く仮定されている。これらのエンティティ間での無線プロトコルスタックの分割は柔軟なものであり得るが、少なくとも、上部レイヤ、たとえば、パケットデータ収束プロトコル（ＰＤＣＰ）サブレイヤを含むユーザプレーンおよびＰＤＣＰ＋無線リソース制御（ＲＲＣ）サブレイヤを含む制御プレーンは、ＣＵ内にあることになり、一方、物理（ＰＨＹ）サブレイヤは、ＤＵ内にあることになると予想されている。介在するレイヤ２サブレイヤは、ＣＵにあってもＤＵにあってもよい。しかし、媒体アクセス制御（ＭＡＣ）サブレイヤは、スケジューリング処理におけるバックホールレイテンシを回避するために、やはりＤＵ内に位置することになる可能性が高い。
【発明の概要】
【０００４】
例示的な実施形態は、セルスイッチングのためのシステムおよび方法を提供する。
【０００５】
例示的な実施形態によれば、第１の分散ユニット（ＤＵ）を動作させるための方法が提供される。この方法は、第１のＤＵによって、第２のＤＵとのリンクレイヤコンテキスト転送に参加するステップと、第１のＤＵによって、モバイルデバイスのためのユーザデータ経路を確立するステップであって、ユーザデータ経路は、モバイルデバイスと通信する無線制御プロトコルエンティティを含む集中ユニット（ＣＵ）とモバイルデバイスを接続する、ステップと、第１のＤＵによって、ＣＵから受信されたモバイルデバイスのための第１のユーザデータを記憶するステップと、第１のＤＵによって、第２のＤＵから受信されたモバイルデバイスのための第２のユーザデータを記憶するステップと、第１のＤＵによって、モバイルデバイスとの接続を確立するステップと、第１のＤＵによって、第１のユーザデータおよび第２のユーザデータをモバイルデバイスに送るステップと、第１のＤＵによって、ＣＵとモバイルデバイスとの間でデータを交換するために第１のＤＵにおいて動作するようにリンクレイヤコンテキストを適合させるステップとを含み、リンクレイヤコンテキストを適合させるステップは、第１のＤＵの最上位プロトコルレイヤをＣＵの最下位プロトコルレイヤに関連付けるステップを含む。
【０００６】
任意選択で、先行する実施形態のいずれかにおいて、この方法は、第１のＤＵによって、第２のＤＵから受信されたＣＵのための第３のユーザデータを記憶するステップと、第１のＤＵによって、第３のユーザデータをＣＵに送るステップとをも含む。
【０００７】
任意選択で、先行する実施形態のいずれかにおいて、この方法では、第１のユーザデータは、第２のユーザデータを送るステップの後に送られる。
【０００８】
任意選択で、先行する実施形態のいずれかにおいて、この方法では、第１のＤＵは、宛先ＤＵであり、第２のＤＵは、発信元ＤＵである。
【０００９】
任意選択で、先行する実施形態のいずれかにおいて、この方法では、リンクレイヤコンテキスト転送に参加するステップは、第２のＤＵからリンクレイヤコンテキストを受信するステップを含む。
【００１０】
任意選択で、先行する実施形態のいずれかにおいて、この方法では、リンクレイヤコンテキストは、モバイルデバイスのためのものである。
【００１１】
例示的な実施形態によれば、第２のＤＵを動作させるための方法が提供される。この方法は、第２のＤＵによって、第１のＤＵとのリンクレイヤコンテキスト転送に参加するステップと、第２のＤＵによって、モバイルデバイスと通信する無線制御プロトコルエンティティを含むＣＵとのモバイルデバイスのためのユーザデータ経路を解放するステップと、第２のＤＵによって、ＣＵから受信されたモバイルデバイスのための第１のユーザデータを記憶するステップと、第２のＤＵによって、モバイルデバイスとの接続が確立されていることを示す第１のインジケーションを受信するステップと、第２のＤＵによって、第１のユーザデータをモバイルデバイスに送るステップとを含む。
【００１２】
任意選択で、先行する実施形態のいずれかにおいて、この方法は、第２のＤＵによって、モバイルデバイスから受信されたＣＵのための第２のユーザデータを記憶するステップと、第２のＤＵによって、第１のインジケーションを受信した後、第２のユーザデータをＣＵに送るステップとをも含む。
【００１３】
任意選択で、先行する実施形態のいずれかにおいて、この方法は、第２のＤＵによって、モバイルデバイスに関連付けられたリンクレイヤを第１のＤＵに転送するようにモバイルデバイスを促す第２のインジケーションを送るステップをも含む。
【００１４】
例示的な実施形態によれば、ＣＵを動作させるための方法が提供される。この方法は、ＣＵによって、ＣＵと第１のＤＵとの間の第１の経路の解放に参加するステップと、ＣＵによって、モバイルデバイスのための第１のユーザデータを記憶するステップと、ＣＵによって、ＣＵと第２のＤＵとの間の第２の経路の確立に参加するステップと、ＣＵによって、第１のユーザデータを第２のＤＵに送るステップとを含む。
【００１５】
任意選択で、先行する実施形態のいずれかにおいて、この方法は、ＣＵによって、第１の経路を解放する前にモバイルデバイスのための第２のユーザデータを第１のＤＵに送るステップをも含む。
【００１６】
任意選択で、先行する実施形態のいずれかにおいて、この方法は、ＣＵによって、第２のＤＵから第３のユーザデータを受信するステップをも含む。
【００１７】
例示的な実施形態によれば、モバイルデバイスを動作させるための方法が提供される。この方法は、モバイルデバイスによって、モバイルデバイスに関連付けられたリンクレイヤを第１のＤＵに転送するようにモバイルデバイスを促すインジケーションを受信するステップと、モバイルデバイスによって、第１のＤＵおよび第２のＤＵとのハンドオーバに参加するステップと、モバイルデバイスによって、第２のＤＵから第１のユーザデータを受信するステップとを含む。
【００１８】
任意選択で、先行する実施形態のいずれかにおいて、この方法は、モバイルデバイスによって、ハンドオーバに参加する前に第２のユーザデータを第１のＤＵに送るステップをも含む。
【００１９】
任意選択で、先行する実施形態のいずれかにおいて、この方法は、モバイルデバイスによって、レイヤ２構成情報を受信するステップをも含む。
【００２０】
任意選択で、先行する実施形態のいずれかにおいて、この方法は、モバイルデバイスによって、ハンドオーバに参加した後、第３のユーザデータを第２のＤＵに送るステップをも含む。
【００２１】
任意選択で、先行する実施形態のいずれかにおいて、この方法では、レイヤ２構成情報は、モバイルデバイスと第２のＤＵとの間の接続に関する情報を含む。
【００２２】
例示的な実施形態によれば、第１のＤＵが提供される。第１のＤＵは、１つまたは複数のプロセッサと、１つまたは複数のプロセッサによって実行するためのプログラミングを記憶するコンピュータ可読記憶媒体とを含む。プログラミングは、第２のＤＵとのリンクレイヤコンテキスト転送に参加し、モバイルデバイスのためのユーザデータ経路であって、モバイルデバイスと通信する無線制御プロトコルエンティティを含むＣＵとモバイルデバイスを接続するユーザデータ経路を確立し、ＣＵから受信されたモバイルデバイスのための第１のユーザデータを記憶し、第２のＤＵから受信されたモバイルデバイスのための第２のユーザデータを記憶し、モバイルデバイスとの接続を確立し、第１のユーザデータおよび第２のユーザデータをモバイルデバイスに送り、ＣＵとモバイルデバイスとの間でデータを交換するために第１のＤＵにおいて動作するようにリンクレイヤコンテキストを適合させるように第１のＤＵを構成するための命令を含み、リンクレイヤコンテキストを適合させることは、第１のＤＵの最上位プロトコルレイヤをＣＵの最下位プロトコルレイヤに関連付けることを含む。
【００２３】
任意選択で、先行する実施形態のいずれかにおいて、プログラミングは、第２のＤＵから受信されたＣＵのための第３のユーザデータを記憶し、第３のユーザデータをＣＵに送るように第１のＤＵを構成するための命令を含む。
【００２４】
任意選択で、先行する実施形態のいずれかにおいて、プログラミングは、第２のＤＵからリンクレイヤコンテキストを第１のＤＵを構成するための命令を含む。
【００２５】
前述の実施形態の実施は、分散ユニット間でのユーザ機器のレイヤ２モビリティを可能にする。したがって、ユーザ機器と集中ユニットとの間の負担となるレイヤ３シグナリングが回避される。
【図面の簡単な説明】
【００２６】
本開示、およびその利点をより完全に理解するために、次に、添付の図面と共に以下の説明が参照される。
【００２７】
【図１】本明細書に記載の例示的な実施形態による例示的な通信システムの図である。
【図２】本明細書に記載の例示的な実施形態による例示的な通信システムの高レベル図である。
【図３】本明細書に記載の例示的な実施形態による例示的なブレークビフォアメイクレイヤ２スイッチング手順の図である。
【図４】本明細書に記載の例示的な実施形態によるダウンリンクデータ送信を強調する例示的なレイヤ２スイッチング手順の図である。
【図５】本明細書に記載の例示的な実施形態によるダウンリンクＳＤＵの順序付けを強調する例示的なレイヤ２スイッチング手順の図である。
【図６】本明細書に記載の例示的な実施形態によるアップリンクデータ送信を強調する例示的なレイヤ２スイッチング手順の図である。
【図７Ａ】本明細書に記載の例示的な実施形態によるダウンリンク通信を強調するレイヤ２スイッチに参加する発信元ＤＵにおいて行われる例示的な動作の流れ図である。
【図７Ｂ】本明細書に記載の例示的な実施形態によるアップリンク通信を強調するレイヤ２スイッチに参加する発信元ＤＵにおいて行われる例示的な動作の流れ図である。
【図８Ａ】本明細書に記載の例示的な実施形態によるダウンリンク通信を強調するレイヤ２スイッチに参加する宛先ＤＵにおいて行われる例示的な動作の流れ図である。
【図８Ｂ】本明細書に記載の例示的な実施形態によるアップリンク通信を強調するレイヤ２スイッチに参加する宛先ＤＵにおいて行われる例示的な動作の流れ図である。
【図９】本明細書に記載の例示的な実施形態によるレイヤ２スイッチに参加するＣＵにおいて行われる例示的な動作９００の流れ図である。
【図１０】本明細書に記載の例示的な実施形態によるレイヤ２スイッチに参加するＵＥにおいて行われる例示的な動作１０００の流れ図である。
【図１１】本明細書に記載の方法を実行するための実施形態の処理システムのブロック図である。
【図１２】本明細書に記載の例示的な実施形態による遠隔通信ネットワークの上でシグナリングを送信および受信するように適合されたトランシーバのブロック図である。
【発明を実施するための形態】
【００２８】
以下、本例示的な実施形態の動作、およびその構造が詳細に論じられている。しかし、本開示は、広範な特定のコンテキストにおいて具体化することができる多数の適用可能な、発明性のある概念を提供することを理解されたい。論じられている特定の実施形態は、実施形態の特定の構造および本明細書に開示されている実施形態をいかに動作させるかを例示するものにすぎず、本開示の範囲を限定しない。
【００２９】
図１は、例示的な通信システム１００を示す。通信システム１００は、５Ｇセルラシステムである。通信システム１００は、ＵＥ１０５、ＵＥ１０７、およびＵＥ１０９など複数のユーザ機器（ＵＥ）を含む。通信システム１００は、ＤＵ１１０およびＤＵ１１２など分散ユニット（ＤＵ）をも含む。また、通信システム１００は、たとえばＮＲ設計を使用することなしにＵＥ１０９にサービスする拡張ＬＴＥ（ｅＬＴＥ）ｅｖｏｌｖｅｄノードＢ（ｅＮＢ）１１５をも含む。また、通信システム１００は、ユーザプレーン（ＵＰ）プロトコルスタック１２２および制御プレーン（ＣＰ）プロトコルスタック１２４を含む遠隔集中ユニット（ＣＵ）１２０をも含む。ＣＵ１２０は、これらのＤＵ、ならびにｅＬＴＥｅＮＢ１１５およびコアネットワーク（ＣＮ）１２５に接続される。
【００３０】
通信システムは、いくつかのＵＥと通信することが可能な複数のネットワークエンティティを使用し得ると理解されているが、簡単にするために２つのＤＵおよび１つのｅＬＴＥｅＮＢだけと、３つのＵＥとが示されている。さらに、図１におけるネットワーク技術は例示的なものであり、特定のネットワークは異なるトポロジを具体化し得ることを理解されたい。たとえば、通信システムのＤＵは、ｅＬＴＥシステムのｅＮＢに直接接続しないことがあり（図におけるインターフェイスＲ３）、いくつかの５Ｇセルラシステムは、隣接するｅＬＴＥシステムと連携して動作することなしに、いわゆる「スタンドアロン」モードで動作することができる。したがって、図１に示されている通信システムは、例示的な実施形態の範囲または精神に限定するものと解釈されるべきでない。
【００３１】
先に論じられているように、ＤＵは、プロトコルスタックの一部分を実装する。図１に示されているように、ＤＵは、ＰＨＹサブレイヤ、ＭＡＣサブレイヤ、無線リンク制御（ＲＬＣ）サブレイヤエンティティを含む。例示的な例として、ＤＵ１１０は、ＰＨＹサブレイヤエンティティ１３０、ＭＡＣサブレイヤエンティティ１３２、およびＲＬＣサブレイヤエンティティ１３４を含む。また、ＣＵおよびＵＰも、プロトコルスタックの一部分を実装する。図１に示されているように、ＣＵおよびＵＰは、ユーザプレーンにおけるＩＰおよびＰＤＣＰレイヤ／サブレイヤエンティティと、制御プレーンにおけるＲＲＣおよびＰＤＣＰレイヤ／サブレイヤエンティティとを実装する。例示的な例として、ＣＵ１２０の制御プレーンプロトコルスタック１２４は、ＲＲＣ／ＰＤＣＰサブレイヤエンティティ１３５を含む。ＲＲＣおよびＰＤＣＰエンティティは、組み合わされたエンティティ１３５として示されているが、これらは、ＣＵの実装に応じて、単一のエンティティとして、または別々のエンティティとして実装され得る。
【００３２】
通信システム１００は、図１に示されているように、１つのＣＵが多数のＤＵを管理する（たとえば、ＣＵ１２０がＤＵ１１０および１１２を管理する）、５ＧセルラシステムのＮＲ設計の階層モデルを示す。図１に示されている階層モデルは、集中ＣＵおよび分散されたＤＵを示す。ＮＲ設計は、複数のＣＵを有する状況に拡張され得るが、図１は、１つのＣＵの管理下におけるＮＲ無線アクセスネットワークの部分に焦点を当てている。一般に、ＵＥはＤＵによってサービスされ、ＵＥは動き回るので、ＵＥとＤＵとの間のリンクは、異なるＤＵにリロケーションされ、または切り替えられる。レイヤ３制御がＣＵに位置することに留意されたい。その結果、同じＣＵの制御下における異なるＤＵへのＵＥのリンクのリロケーションは、ＵＥのためのレイヤ３アンカーポイントの対応するリロケーションを必要としない。
【００３３】
しかし、ＣＵにおけるレイヤ３のロケーティングは、レイヤ３手順が使用されるとき、エアインターフェイスシグナリングのための長いレイテンシに通じることがある。ＣＵとＤＵとの間のシグナリング交換は、遅延に敏感なシグナリングまたはサービスを含む状況においてなじみやすくない。含まれる遅延の大きさは、ＣＵ−ＤＵインターフェイスに使用されるトランスポート（図１におけるＲ１−Ｃ／Ｒ１−Ｕインターフェイス）、ＣＵによって管理されるネットワーク負荷の量など、様々な要因に依存する。
【００３４】
レイヤ２プロトコルサブレイヤは、パケット処理の第１のサブレイヤ（ＰＤＣＰサブレイヤ）ならびにセキュリティがＣＵ内に位置し、ＭＡＣおよびＰＨＹサブレイヤがＤＵ内にあるように、ＣＵとＤＵとの間で分けられる。信頼性サブレイヤ（ＲＬＣサブレイヤ）は、（図１ではＤＵ内に位置して示されているが）ＣＵまたはＤＵのどちらに位置してもよい。状況によっては、ＣＵ内のＲＬＣサブレイヤのロケーティング、またはＲＬＣ機能をＣＵとＤＵとの間で分割することさえも有効となり得る。他のレイヤまたはサブレイヤが存在し得るが、示されていない。
【００３５】
本明細書で提示される考察は、以下の用語を使用する。
−  送受信ポイント（ＴＲＰ）：ＤＵ、ｅＮＢなど送信および受信が可能なデバイス。ＴＲＰは、遠隔無線ユニット（ＲＲＵ）と称されることもある。
−  ＣＵ：制御プレーン（ＣＰ）およびＵＰ両方のための、制御のための中央エンティティ。ＣＵ内に位置するプロトコルレイヤは、ＣＰ機能のための制御プロトコルレイヤ、たとえばＲＲＣプロトコルサブレイヤ、ならびにユーザプレーンのためのトランスポート機能を制御するレイヤ／サブレイヤ、たとえばＰＤＣＰサブレイヤを含む。論理的には、単一のＣＵが、ＤＵ、ｅＮＢ、ｇＮＢ（ｅＮＢのＮＲ等価物のための受け入れられている頭字語）など、１つまたは複数のセルアンカーポイントを管理することができる。ＲＲＣ／ＰＤＣＰサブレイヤは、ＣＵ内に位置する。
−  ＤＵ：無線展開のための分散エンティティ。１つのＤＵが１つまたは複数のＲＲＵまたはＴＲＰに接続され得る。ＭＡＣ／ＰＨＹサブレイヤは、ＤＵ、ならびにおそらくはＲＬＣレイヤ内に位置する。
−  物理セル：無線レイヤ内の単一の物体に見えるように調整されたＴＲＰ／ＲＲＵのセクタまたは１つまたは複数のＴＲＰ／ＲＲＵのクラスタ。従来のセルのために定義されるとき、物理セルのアイデンティティ、たとえば物理セルアイデンティティ（ＰＣＩ）は、限られたカバレッジエリア内で一意である。
−  セルアンカーポイント：ＲＲＣレイヤおよびＮＧ−Ｃインターフェイスでのセルのレイヤ３概念。セルアンカーポイントは、レイヤ３アンカーとも称される。１つのセルアンカーポイントを、複数の物理セル（レイヤ２において定義されたとき）にマッピングすることができる。グローバルセル識別子（たとえば、３ＧＰＰ  ＬＴＥにおけるセルグローバルアイデンティティ（ＣＧＩ））がレイヤ３アンカーにて定義され得る。
【００３６】
現行世代のセルラシステムでは、セルは、レイヤ１、レイヤ２、およびレイヤ３にわたって共有される。レイヤ１およびレイヤ２では、セルは、それらのＰＣＩによって区別され、一方、レイヤ３におけるセルを識別するために、ＣＧＩが使用される。しかし、ＰＣＩおよびＣＧＩは、３ＧＰＰ  ＬＴＥにおける同じ範囲を定義する。すなわち、特定のＬＴＥセルは、ちょうど１つのＰＣＩおよびちょうど１つのＣＧＩを有する。これらの識別子は、レイヤ３における、より長いグローバルに一意の識別子を可能にするためだけに異なる。
【００３７】
例示的な実施形態によれば、セル構造は、レイヤ２とレイヤ３との間で切り離される。レイヤ１セルまたはカバレッジエリアは、レイヤ２およびレイヤ３にとって透過的であると仮定されている。レイヤ２でのセル概念は、物理セルと称される。３ＧＰＰ  ＬＴＥにおける物理セルはＰＣＩによって区別されるので、レイヤ２は、セルがより高いレイヤプロトコルにおいて可視である最も低いレベルである。
【００３８】
例示的な実施形態によれば、階層モデルが、複数のレイヤ２セル（たとえば、ＤＵ）を管理するレイヤ３セル（たとえば、ＣＵ）と共に提示される。したがって、セル構造は、レイヤ２とレイヤ３との間で切り離される。セルという用語が使用されるが、アンカーポイント、ＤＵエリアなど、他の用語が使用されてもよい。図２は、例示的な通信システム２００の高レベル図を示す。通信システム２００は、レイヤ３セル２０５を含む。レイヤ３セル２０５は、複数のレイヤ２セルを管理するＣＵ２１０を含む。各レイヤ２セルは、ＤＵとして実装される。一例として、レイヤ２セル２１５は、ＤＵ２２０として実装される。いくつかの展開では、ＣＵは、複数のレイヤ３セルを含み、それぞれレイヤ２セルのそれ自体の補足するものを有する。
【００３９】
例示的な実施形態によれば、現行のセルラシステムでＲＲＣ制御シグナリングにおいて具体化されることになる機能の少なくともいくつかは、ＤＵ（レイヤ２）にリロケーションされる。ＤＵでの制御シグナリングは、手順を高速化するために、また不要なシグナリングオーバーヘッドを回避するために、様々なレイヤ２サブレイヤ、たとえばＲＬＣサブレイヤまたはＭＡＣサブレイヤのいずれかでのシグナリングを通じて実行され得る。さらに、関係のある機能をサポートするためにレイヤ２でのＤＵとＵＥとの間の調整をＤＵが取り扱うことができる限り、ＣＵでのレイヤ３ＲＲＣハンドリングは必要とされない。さらに、ユーザプレーン側面の考慮が提供される。一例として、セルアンカーポイントが同じままである間（レイヤ３モビリティを回避する）の物理セル間のハンドオーバ（レイヤ２モビリティ）が考慮される。表１は、等価の５Ｇ機能と共に３ＧＰＰ  ＬＴＥ  ＲＲＣ機能を示し、５Ｇ  ＲＲＣ（レイヤ３）手順および５Ｇレイヤ２手順への分割を示す。たとえば、表１に示されているように、ＬＴＥハンドオーバ手順は、５Ｇシステムではレイヤ２およびレイヤ３において別々に実現され得る。すなわち、ハンドオーバ（物理セル変更）は、そのモビリティがレイヤ２アンカーポイント、たとえばＤＵに影響を及ぼすときレイヤ２セル変更（Ｌ２ＣＣ）を介して実装され得、さらにレイヤ３アンカーポイント、たとえばＣＵが変更されるときレイヤ３ＲＲＣ接続再構成を介して実装され得る。
【００４０】
【表１】
2019517760.tif 000003
【００４１】
例示的な実施形態によれば、レイヤ２リロケーション判断は、レイヤ２および／またはレイヤ３測定に基づいて、ネットワーク（たとえば、ＤＵ、ＣＵ、ＣＮなど）においてなされる。測定は、アップリンク信号に基づいてネットワークによってなされても、ダウンリンク信号に基づいてＵＥによってなされ、ネットワークにレポートされても、またはこれら２つの組合せでもよい。レイヤ２リロケーションは、１つまたは複数のＤＵ、ＣＵなどを含んでもよいが、詳細は、ＵＥにとって透過的である。一例として、発信元ＤＵ（ＵＥが現在アタッチされているＤＵ）がＤＵ間スイッチングに関する判断をする。ＤＵの判断力は、ＣＵによって演繹的に許可されることを必要とし得る。ＤＵスイッチングに関する判断がなされる状況では、ＤＵは、その判断をＣＵにレポートし、レイヤ２スイッチングに関連付けられたデータ送達経路スイッチングのためにＣＵを準備する。潜在的な宛先ＤＵ、１つまたは複数のＣＵなど他のノードもまた、スイッチングに関する判断に貢献し得る。
【００４２】
例示的なレイヤ２スイッチング手順は、
−  より低いレイヤのコンテキストが発信元ＤＵから宛先ＤＵ（レイヤ２リロケーションの完了後にＵＥがアタッチされることになるＤＵ）に渡される。発信元ＤＵは、たとえば、無線リンクのためのＲＬＣコンテキストを宛先ＤＵに転送する。
−  データ送達経路が発信元ＤＵ←→ＣＵから宛先ＤＵ←→ＣＵに切り替わる。
−  レイヤ２制御シグナリング、たとえばＭＡＣ制御要素（ＭＡＣ  ＣＥ）を使用して、レイヤ２スイッチングが発信元ＤＵからＵＥに順序付けられる。ＵＥは、たとえば、レイヤ２スイッチ順において示されるレイヤ２構成の何らかの変更に従って修正された発信元ＤＵで使用されるものと同じレイヤ２構成を使用して、宛先ＤＵとの通信を開始するようにトリガされる。
−  アクセス手順中など、ＵＥが宛先ＤＵによって検出されたとき、エアリンクデータ通信が始まる。
【００４３】
レイヤ２スイッチング手順の変形形態は、発信元ＤＵとの接続が宛先ＤＵとの接続の確立前に中断されるブレークビフォアメイク手順、ならびに発信元ＤＵとの接続が中断される前に宛先ＤＵとの接続がなされるメイクビフォアブレーク手順を含む。本明細書で論じられているレイヤ２スイッチング手順については、ＲＬＣがＤＵ内に位置すると仮定されており、したがって、ＣＵとＤＵとの間で交換されるデータパケットは、ＰＤＣＰプロトコルデータユニット（ＰＤＵ）と同等であるＲＬＣサービスデータユニット（ＳＤＵ）である。あるいは、ＲＬＤがＣＵ内にある場合、パケットは、ＲＬＣ  ＰＤＵと同等であるＭＡＣ  ＳＤＵとなることになる。一般に、データは、ＤＵ内の上部レイヤまたはサブレイヤのＳＤＵからなり、これらはＣＵ内の下部レイヤまたはサブレイヤのＰＤＵである。
【００４４】
図３は、例示的なブレークビフォアメイクレイヤ２スイッチング手順の図３００を示す。図３００は、ブレークビフォアメイクレイヤ２スイッチング手順に参加するＵＥ３０５、宛先ＤＵ３０７、発信元ＤＵ３０９、およびＣＵ３１１によって交換されるメッセージおよび実行される処理を示す。また、図３００は、様々なデバイスでのプロトコルスタック、およびプロトコルスタック間の関係をも示す。
【００４５】
リロケーション判断が、リンク監視、およびその測定に基づいてなされる（ブロック３１５）。リロケーション判断は、発信元ＤＵ３０９、宛先ＤＵ３０７、および／またはＣＵ３１１によってなされてもよい。例示的な例として、ＵＥ３０５によって送信されるアップリンク信号のネットワーク監視は、リロケーション判断のための基準として使用される。発信元ＤＵ３０９および宛先ＤＵ３０７が、コンテキスト転送に参加する（イベント３１７）。発信元ＤＵ３０９およびＣＵ３１１がレイヤ２経路解放に参加する（イベント３１９）。コンテキスト転送が完了した後、発信元ＤＵ３０９は、ＵＥ３０５からのデータを送達するのを停止する。その代わりに、発信元ＤＵ３０９は、後で転送するためにアップリンクデータをバッファする（ブロック３２１）。実質的に同時に、ＣＵ３１１は、ＵＥ３０５にデータを送達するのを停止する。その代わりに、ＣＵ３１１は、後で転送するためにダウンリンクデータをバッファする（ブロック３２３）。イベント３１７の開始とイベント３１９の終了との間において、ＵＥ３０５のためのダウンリンクデータは、発信元ＤＵ３０９に到着し得る。発信元ＤＵ３０９は、すでにレイヤ２コンテキストを宛先ＤＵ３０７に転送し始めているので、そのようなデータを送達することができない。その代わりに、発信元ＤＵ３０９は、ダウンリンクデータをバッファし、後の時間、たとえばハンドオーバの完了後、宛先ＤＵ３０７にダウンリンクデータを転送する。図３００は、ダウンリンクデータの到着、ダウンリンクデータのバッファ、またはダウンリンクデータの転送を示していない。このようにしてバッファおよび転送されることになるダウンリンクデータの量は、ステップ３１７および３１９の手順が好ましくは可能な限りほぼ同時であるはずなので、小さいものと予想されることになる。同様に、ＵＥ３０５と宛先ＤＵ３０７との間の接続はこの時点で確立されていないので、ＣＵ３１１は、ＵＥ３０５宛のダウンリンクデータをバッファし（ブロック３２３）、後でそれを下記のように宛先ＤＵ３０７に転送する（イベント３２７）。
【００４６】
ＣＵ３１１および宛先ＤＵ３０７は、レイヤ２経路を確立するのに参加する（イベント３２５）。レイヤ２経路がＣＵ３１１と宛先ＤＵ３０７との間に確立された状態で、ＣＵ３１１は、ＣＵ３１１によってバッファされたダウンリンクデータを宛先ＤＵ３０７に転送する（イベント３２７）。発信元ＤＵ３０９は、レイヤ２スイッチ命令（たとえば、ＭＡＣ  ＣＥ）などエアリンクトリガイベントをＵＥ３０５に送る（イベント３２９）。レイヤ２スイッチはたとえばＵＥによる自律的な判断に基づいて、ネットワークによって決定される以前に構成されたパラメータによって制御されるＵＥ挙動に基づいてなど、エアリンクトリガイベントなしに行われ得るので、エアリンクトリガイベントは、任意選択であり得る。ランダムアクセス手順、ＵＥによるアップリンク送信などＵＥ３０５と宛先ＤＵ３０７との間の活動（イベント３３１）が行われ、宛先ＤＵ３０７は、ハンドオーバ完了インジケーションを発信元ＤＵ３０９に送る（イベント３３３）。宛先ＤＵ３０７は、ダウンリンクデータをＵＥ３０５に送る（イベント３３５）。イベント３３３でのハンドオーバ完了インジケーションは、ＵＥ３０５が宛先ＤＵ３０７によって検出された、または宛先ＤＵ３０７に接続されたという発信元ＤＵ３０９へのインジケーションであってよい。ハンドオーバ完了インジケーションは、ＵＥ３０５からの転送されたメッセージであると仮定されない。このようにして、例示的な実施形態は、３ＧＰＰ  ＬＴＥハンドオーバとは異なる。
【００４７】
ハンドオーバ完了があると、発信元ＤＵ３０９は、アップリンクデータをバッファするのを停止し（ブロック３３７）、ＣＵ３１１への後続の転送（イベント３４１）のために、バッファされたアップリンクデータを宛先ＤＵ３０７に送る（イベント３３９）。あるいは、発信元ＤＵ３０９は、バッファされたアップリンクデータをＣＵ３１１に直接転送してもよいが、この手法は、レイヤ２コンテキストミスアライメントに起因する潜在的な、余分なデータ送信におけるコストを有する。イベント３１７とイベント３３９との間で、レイヤ２コンテキストおよびレイヤ１コンテキストは同期外れであること、ならびに宛先ＤＵ３０７へのアップリンクデータの転送は、たとえば信頼性レイヤ（たとえば、ＲＬＣサブレイヤ）が要求、肯定応答、発信元ＤＵ３０９によって記憶されたアップリンクデータ内に存在し得る任意の他の制御情報を処理することを可能にすることによって、コンテキストと再アライメントさせることに留意されたい。さらに、宛先ＤＵ３０７への記憶されたアップリンクデータの転送は、潜在的に順序外れの到着を引き起こすことなしに、いつすべての記憶されたアップリンクデータが送達され、ＵＥからの新しいアップリンクデータをＣＵ３１１に送ることができるかを、宛先ＤＵ３０７が知ることを可能にする。ＵＥ３０５からＣＵ３１１へのアップリンクデータの流れは、図中のイベント３１７からイベント３４１にかけて中断される。
【００４８】
図４は、ダウンリンクデータ送信を強調する例示的なレイヤ２スイッチング手順の図４００を示す。図４００は、レイヤ２スイッチ手順に参加するＵＥ４０５、宛先ＤＵ４０７、発信元ＤＵ４０９、およびＣＵ４１１によって交換されるメッセージおよび実行される処理を示す。ブロック４１５は、レイヤ２スイッチが行われる前のレイヤ２データ経路を示す。
【００４９】
リロケーション判断が、リンク監視、およびその測定に基づいてなされる（ブロック４１７）。リロケーション判断は、発信元ＤＵ４０９、宛先ＤＵ４０７、および／またはＣＵ４１１によってなされてもよい。発信元ＤＵ４０９および宛先ＤＵ４０７が、コンテキスト転送に参加する（イベント４１９）。コンテキスト転送の完了後、ダウンリンクデータがＲＬＣ  ＳＤＵの形態でＣＵ４１１から発信元ＤＵ４２３に送られる（イベント４２１）（ブロック４２３）。発信元ＤＵ４０９は、ダウンリンクデータを宛先ＤＵ４０７に送り（イベント４２５）、そこでそれがＲＬＣ  ＳＤＵの形態でバッファされる（ブロック４２７）。ＣＵ４１１および発信元ＤＵ４０９は、レイヤ２経路解放手順に参加する（イベント４２９）。レイヤ２経路解放手順の完了後、かつ新しいレイヤ２経路がＣＵ４１１と宛先ＤＵ４０７との間に確立される前に、ＣＵ４１１は、ＵＥ４０５宛の何らかのダウンリンクデータをＰＤＣＰ  ＳＤＵまたはＰＤＣＰ  ＰＤＵの形態でバッファする（ブロック４３１）。ＣＵ４１１は、ＰＤＣＰ  ＳＤＵを受信し、それらのＰＤＣＰ  ＳＤＵをバッファし、次いでそれらをＰＤＣＰ  ＰＤＵに変換してからそれらのＰＤＣＰ  ＰＤＵを宛先ＤＵ４０７に送ることができ、または受信されたＰＤＣＰ  ＳＤＵをＰＤＣＰ  ＰＤＵに変換し、次いでそれらのＰＤＣＰ  ＰＤＵをバッファしてからそれらのＰＤＣＰ  ＰＤＵを宛先ＤＵ４０７に送ることもできることに留意されたい。いくつかの実施形態では、レイヤ２経路解放手順（イベント４２９）およびレイヤ２経路確立（イベント４３３）は、単一の「経路スイッチ」手順と考えられてもよい。イベント４２９のレイヤ２経路解放手順の完了後、発信元ＤＵ４０９は、もはやＣＵ４１１からダウンリンクデータを受信するべきでない。イベント４４５まで待つ代わりに、発信元ＤＵ４０９がイベント４４１の前にダウンリンクデータ転送を完了することが可能であり得る。しかし、どちらの状況でもハンドオーバ性能に対する影響はない。
【００５０】
ＣＵ４１１および宛先ＤＵ４０７は、レイヤ２経路の確立に参加する（イベント４３３）。レイヤ２経路が確立された状態で、ＣＵ４１１は、バッファされたＰＤＣＰ  ＰＤＵ（ブロック４３５）を宛先ＤＵ４０７に送り（イベント４３７）、そこでそれらがバッファされる（ブロック４３９）。発信元ＤＵ４０９およびＣＵ４１１から受信されていることがある、バッファされたＲＬＣ  ＳＤＵを再順序付けすることが必要であり得ることに留意されたい。発信元ＤＵ４０９から受信された最後のＳＤＵは、ＣＵ４１１からの最初のＳＤＵの送達前に送達されるべきである。ＣＵ４１１は、引き続きＳＤＵを発信元ＤＵ４０９（イベント４２９の前）および宛先ＤＵ４０７（イベント４３３の後）に送達することができる。
【００５１】
発信元ＤＵ４０９は、任意選択で、レイヤ２スイッチ命令（たとえば、ＭＡＣ  ＣＥ）などエアリンクトリガイベントをＵＥ４０５に送る（イベント４４１）。ＵＥ４０５と宛先ＤＵ４０７との間の活動（イベント４４３）が行われ、宛先ＤＵ４０７は、ハンドオーバ完了インジケーションを発信元ＤＵ４０９に送る（イベント４４５）。発信元ＤＵ４０９は、何らかの残りのＲＬＣ  ＳＤＵ（ブロック４４７）を宛先ＤＵ４０７に送り（イベント４４９）、宛先ＤＵ４０７は、ダウンリンクデータをＵＥ４０５に送る（イベント４５１）。ブロック４５３は、レイヤ２スイッチが行われた後のレイヤ２データ経路を示す。
【００５２】
図４に示されているイベント４４３および４４５は、３ＧＰＰ  ＬＴＥに基づく。ハンドオーバ手順を完了するための代替の方法が可能である。宛先ＤＵ４０７がいつＵＥ４０５が到着するか知っており、発信元ＤＵ４０９がいつＵＥ４０５が宛先ＤＵ４０７によって獲得されるか知っている限り、様々な異なる手法が可能である。したがって、３ＧＰＰ  ＬＴＥベースの技法は、例示的な実施形態の範囲または精神に限定するものと解釈されるべきでない。
【００５３】
図５は、ダウンリンクＳＤＵの順序付けを強調する例示的なレイヤ２スイッチング手順の図５００を示す。図５００は、レイヤ２スイッチング手順に参加するＵＥ５０５、宛先ＤＵ５０７、発信元ＤＵ５０９、およびＣＵ５１１によって交換されるメッセージおよび実行される処理を示す。
【００５４】
宛先ＤＵ５０７は、ダウンリンクデータ、たとえばＲＬＣ  ＳＤＵを、そのダウンリンクデータがレイヤ２経路スイッチに対していつ受信されるかに応じて発信元ＤＵ５０９またはＣＵ５１１から受信することができるので、ダウンリンクデータを順序正しく送達するための措置を宛先ＤＵ５０７がとることが必要となり得る。例示的な実施形態によれば、発信元ＤＵ５０９からのダウンリンクデータは常に、データが宛先ＤＵ５０７に到着する順序にかかわらず、ＣＵ５１１からのダウンリンクデータの前にＵＥに送達するために順序付けられる。したがって、宛先ＤＵ５０７は、発信元ＤＵ５０９が最後のＳＤＵを転送したことを示すまで、両発信元からのダウンリンクデータを別々にバッファする。一例として、発信元ＤＵ５０９は、ハンドオーバ（イベント５１９）の完了前に行われるイベント５１５、またはハンドオーバ（イベント５１９）の完了後に行われるイベント５１７にて最後のダウンリンクデータが転送されたことを示すことができる。宛先ＤＵ５０７が発信元ＤＵ５０９からインジケーションを受信した後、次いで宛先ＤＵ５０７は、バッファされた発信元ＤＵ５０９からのダウンリンクデータ（イベント５２１）と、それに続くバッファされたＣＵ５１１からのダウンリンクデータ（イベント５２３）を送る。
【００５５】
図６は、アップリンクデータ送信を強調する例示的なレイヤ２スイッチング手順の図６００を示す。図６００は、レイヤ２スイッチ手順に参加するＵＥ６０５、宛先ＤＵ６０７、発信元ＤＵ６０９、およびＣＵ６１１によって交換されるメッセージおよび実行される処理を示す。ブロック６１５は、レイヤ２スイッチが行われる前のレイヤ２データ経路を示す。
【００５６】
リロケーション判断が、リンク監視、およびその測定に基づいてなされる（ブロック６１７）。リロケーション判断は、発信元ＤＵ６０９、宛先ＤＵ６０７、および／またはＣＵ６１１によってなされてもよい。発信元ＤＵ６０９および宛先ＤＵ６０７が、コンテキスト転送に参加する（イベント６１９）。発信元ＤＵ５０９およびＣＵ６１１がレイヤ２経路解放に参加する（イベント６２１）。レイヤ２経路解放手順の完了後、ＵＥ６０５は、引き続きアップリンクデータを発信元ＤＵ６０９に送ってもよい（イベント６２３）。しかし、レイヤ２経路は解放されているので、それ以上のアップリンクデータをＣＵ６１１に送ることができず、発信元ＤＵ６０９は、ＵＥ６０５からのデータをＲＬＣ  ＰＤＵの形態でバッファする（ブロック６２５）。発信元ＤＵ６０９は、宛先ＤＵ６０７とのレイヤ２スイッチが完了するまで、ＵＥ６０５からのＲＬＣ  ＰＤＵをバッファする。
【００５７】
宛先ＤＵ６０７およびＣＵ６１１は、レイヤ２経路確立に参加する（イベント６２７）。発信元ＤＵ６０９は、任意選択で、レイヤ２スイッチ（たとえば、ＭＡＣ  ＣＥ）などエアリンクトリガイベントをＵＥ６０５に送る（イベント６２９）。ＵＥ６０５と宛先ＤＵ６０７との間の活動（イベント６３１）が行われ、宛先ＤＵ６０７は、ハンドオーバ完了インジケーションを発信元ＤＵ６０９に送る（イベント６３３）。発信元ＤＵ６０９は、バッファされたアップリンクデータを宛先ＤＵ６０７に送る（イベント６３５）。バッファされたアップリンクデータは、宛先ＤＵ６０７がＣＵ６１１とのレイヤ２経路を有するので、宛先ＤＵ６０７に送られる。さらに、宛先ＤＵ６０７は発信元ＤＵ６０９からのすべてのアップリンクデータを有するので、宛先ＤＵ６０７は、宛先ＤＵ６０７がＵＥ６０５からのアップリンクデータを送る前に、いつ発信元ＤＵ６０９からのすべてのアップリンクデータがＣＵ６１１に送られたか知っている。宛先ＤＵ６０７による制御は、ＣＵ６１１がアップリンクデータを再順序付けしなければならないことを防止する。最後に、宛先ＤＵ６０７へのＲＬＣ  ＰＤＵの転送は、ＰＤＵが宛先ＤＵ６０７内でＲＬＣプロトコルエンティティによって処理されることを可能にし、宛先ＤＵ６０７は、ＵＥとのエアリンク接続を必要とする手順、たとえば、ＲＬＣ肯定応答モード（ＲＬＣ  ＡＭ）を使用して送信されたＰＤＵについて肯定応答をＵＥに送達することを実行することができる。
【００５８】
宛先ＤＵ６０７は、アップリンクデータをＣＵ６１１に送る（イベント６３７）。宛先ＤＵ６０７は、レイヤ２構成情報をＵＥ６０５に送る（イベント６３９）。レイヤ２構成情報は、ＵＥ６０５がアップリンク情報を宛先ＤＵ６０５に送ることを可能にするための情報をＵＥ６０５に提供する。ＵＥ６０５は、アップリンクデータを宛先ＤＵ６０７に送る（イベント６４１）。宛先ＤＵ６０７は、発信元ＤＵ６０９からのすべてのアップリンクデータがＣＵ６１１に送られるまでＵＥ６０５からのアップリンクデータをバッファし（ブロック６４３）、その時点で、宛先ＤＵ６０７は、ＵＥ６０５からのアップリンクデータをＣＵ６１１に送る（イベント６４５）。ブロック６４５は、レイヤ２スイッチが行われた後のレイヤ２データ経路を示す。
【００５９】
アップリンクデータをＣＵ６１１に直接送達することが可能であることに留意されたい。しかし、ＣＵ６１１は、ＲＬＣ  ＳＤＵの正しい順序付けを確保しなければならないことになり、これは、ＣＵ６１１内に位置するＰＤＣＰサブレイヤまたは上部ＲＬＣサブレイヤにおける再順序付けを暗示する。
【００６０】
図７Ａは、ダウンリンク通信を強調するレイヤ２スイッチに参加する発信元ＤＵにおいて行われる例示的な動作７００の流れ図を示す。動作７００は、発信元ＤＵがレイヤ２スイッチに参加するときその発信元ＤＵにおいて行われる動作を示すものであり得る。
【００６１】
動作７００は、発信元ＤＵがリロケーション判断に参加することで始まる（ブロック７０５）。リロケーション判断は、発信元ＤＵ、宛先ＤＵ、およびＣＵが参加してなされ得る。リロケーション判断は、リンクの測定に従ってなされてもよい。発信元ＤＵは、宛先ＤＵとのコンテキスト転送に参加する（ブロック７０７）。発信元ＤＵは、ＣＵからのダウンリンクデータをバッファし（ブロック７０９）、バッファされたダウンリンクデータを宛先ＤＵに送る（ブロック７１１）。発信元ＤＵおよびＣＵは、発信元ＤＵとＣＵとの間のレイヤ２経路を解放するためのメッセージングを交換する（ブロック７１３）。発信元ＤＵは、任意選択でエアリンクトリガイベントを送ってもよい。発信元ＤＵは、ハンドオーバを完了する（ブロック７１５）。ハンドオーバを完了することは、発信元ＤＵがＵＥと宛先ＤＵとの間の活動を検出すること、および発信元ＤＵがハンドオーバ完了インジケーションを宛先ＤＵから受信することを必要とし得る。発信元ＤＵは、バッファされたダウンリンクデータを宛先ＤＵに転送する（ブロック７１７）。
【００６２】
図７Ｂは、アップリンク通信を強調するレイヤ２スイッチに参加する発信元ＤＵにおいて行われる例示的な動作７５０の流れ図を示す。動作７５０は、発信元ＤＵがレイヤ２スイッチに参加するときその発信元ＤＵにおいて行われる動作を示すものであり得る。
【００６３】
動作７５０は、発信元ＤＵがリロケーション判断に参加することで始まる（ブロック７５５）。リロケーション判断は、発信元ＤＵ、宛先ＤＵ、およびＣＵが参加してなされ得る。リロケーション判断は、リンクの測定に従ってなされてもよい。発信元ＤＵは、宛先ＤＵとのコンテキスト転送に参加する（ブロック７５７）。発信元ＤＵおよびＣＵは、発信元ＤＵとＣＵとの間のレイヤ２経路を解放するためのメッセージングを交換する（ブロック７５９）。発信元ＤＵは、ＵＥからのアップリンクデータをバッファする（ブロック７６１）。発信元ＤＵは、任意選択でエアリンクトリガイベントを送ってもよい。発信元ＤＵは、ハンドオーバを完了する（ブロック７６３）。ハンドオーバを完了することは、発信元ＤＵがＵＥと宛先ＤＵとの間の活動を検出すること、および発信元ＤＵがハンドオーバ完了インジケーションを宛先ＤＵから受信することを必要とし得る。発信元ＤＵは、バッファされたアップリンクデータを宛先ＤＵに送る（ブロック７６５）。
【００６４】
第１の態様では、本願は、第１のＤＵを動作させるための方法を提供する。この方法は、第１のＤＵによって、第２のＤＵとのリンクレイヤコンテキスト転送に参加するステップと、第１のＤＵによって、モバイルデバイスのためのユーザデータ経路を確立するステップであって、ユーザデータ経路は、モバイルデバイスと通信する無線制御プロトコルエンティティを含むＣＵとモバイルデバイスを接続する、ステップと、第１のＤＵによって、ＣＵから受信されたモバイルデバイスのための第１のユーザデータを記憶するステップと、第１のＤＵによって、第２のＤＵから受信されたモバイルデバイスのための第２のユーザデータを記憶するステップと、第１のＤＵによって、モバイルデバイスとの接続を確立するステップと、第１のＤＵによって、第１のユーザデータおよび第２のユーザデータをモバイルデバイスに送るステップと、第１のＤＵによって、ＣＵとモバイルデバイスとの間でデータを交換するために第１のＤＵにおいて動作するようにリンクレイヤコンテキストを適合させるステップとを含み、リンクレイヤコンテキストを適合させるステップは、第１のＤＵの最上位プロトコルレイヤをＣＵの最下位プロトコルレイヤに関連付けるステップを含む。
【００６５】
第１の態様による方法の第１の実施形態によれば、この方法は、第１のＤＵによって、第２のＤＵから受信されたＣＵのための第３のユーザデータを記憶するステップと、第１のＤＵによって、第３のユーザデータをＣＵに送るステップとを含む。第１の態様のいずれかの先行する実施形態による方法の第２の実施形態、または第１の態様それ自体によれば、第１のユーザデータは、第２のユーザデータを送るステップの後に送られる。第１の態様のいずれかの先行する実施形態による方法の第３の実施形態、または第１の態様それ自体によれば、第１のＤＵは、宛先ＤＵであり、第２のＤＵは、発信元ＤＵである。第１の態様のいずれかの先行する実施形態による方法の第４の実施形態、または第１の態様それ自体によれば、リンクレイヤコンテキスト転送に参加するステップは、第２のＤＵからリンクレイヤコンテキストを受信するステップを含む。第１の態様のいずれかの先行する実施形態による方法の第５の実施形態、または第１の態様それ自体によれば、リンクレイヤコンテキストは、モバイルデバイスのためのものである。
【００６６】
図８Ａは、ダウンリンク通信を強調するレイヤ２スイッチに参加する宛先ＤＵにおいて行われる例示的な動作８００の流れ図を示す。動作８００は、宛先ＤＵがレイヤ２スイッチに参加するときその宛先ＤＵにおいて行われる動作を示すものであり得る。
【００６７】
動作８００は、宛先ＤＵがリロケーション判断に参加することで始まる（ブロック８０５）。リロケーション判断は、発信元ＤＵ、宛先ＤＵ、およびＣＵが参加してなされ得る。リロケーション判断は、リンクの測定に従ってなされてもよい。宛先ＤＵは、発信元ＤＵとのコンテキスト転送に参加する（ブロック８０７）。宛先ＤＵは、ダウンリンクデータをバッファする（ブロック８０９）。宛先ＤＵおよびＣＵは、宛先ＤＵとＣＵとの間のレイヤ２経路を確立するためのメッセージングを交換する（ブロック８１１）。宛先ＤＵは、ＣＵからのダウンリンクデータをバッファする（ブロック８１３）。宛先ＤＵは、ハンドオーバを完了する（ブロック８１５）。ハンドオーバを完了することは、宛先ＤＵがＵＥとの通信に参加し、ハンドオーバ完了インジケーションを発信元ＤＵに送ることを含み得る。宛先ＤＵは、バッファされたダウンリンクデータをＵＥに送る（ブロック８０９）。
【００６８】
図８Ｂは、アップリンク通信を強調するレイヤ２スイッチに参加する宛先ＤＵにおいて行われる例示的な動作８５０の流れ図を示す。動作８５０は、宛先ＤＵがレイヤ２スイッチに参加するときその宛先ＤＵにおいて行われる動作を示すものであり得る。
【００６９】
動作８５０は、宛先ＤＵがリロケーション判断に参加することで始まる（ブロック８５５）。リロケーション判断は、発信元ＤＵ、宛先ＤＵ、およびＣＵが参加してなされ得る。リロケーション判断は、リンクの測定に従ってなされてもよい。宛先ＤＵは、発信元ＤＵとのコンテキスト転送に参加する（ブロック８５７）。宛先ＤＵおよびＣＵは、宛先ＤＵとＣＵとの間のレイヤ２経路を確立するためのメッセージングを交換する（ブロック８６９）。宛先ＤＵは、ハンドオーバを完了する（ブロック８７１）。ハンドオーバを完了することは、宛先ＤＵがＵＥとの通信に参加し、ハンドオーバ完了インジケーションを発信元ＤＵに送ることを含み得る。宛先ＤＵは、発信元ＤＵからの、ならびにＵＥからのアップリンクデータをバッファする（ブロック８６３）。宛先ＤＵは、バッファされたアップリンクデータをＣＵに送る（ブロック８６５）。
【００７０】
第２の態様では、本願は、第２のＤＵを動作させるための方法を提供する。この方法は、第２のＤＵによって、第１のＤＵとのリンクレイヤコンテキスト転送に参加するステップと、第２のＤＵによって、モバイルデバイスと通信する無線制御プロトコルエンティティを含むＣＵとのモバイルデバイスのためのユーザデータ経路を解放するステップと、第２のＤＵによって、ＣＵから受信されたモバイルデバイスのための第１のユーザデータを記憶するステップと、第２のＤＵによって、モバイルデバイスとの接続が確立されていることを示す第１のインジケーションを受信するステップと、第２のＤＵによって、第１のユーザデータをモバイルデバイスに送るステップとを含む。
【００７１】
第２の態様による方法の第１の実施形態によれば、この方法は、第２のＤＵによって、モバイルデバイスから受信されたＣＵのための第２のユーザデータを記憶するステップと、第２のＤＵによって、第１のインジケーションを受信した後、第２のユーザデータをＣＵに送るステップとを含む。第２の態様のいずれかの先行する実施形態による方法の第２の実施形態、または第２の態様それ自体によれば、この方法は、第２のＤＵによって、モバイルデバイスに関連付けられたリンクレイヤを第１のＤＵに転送するようにモバイルデバイスを促す第２のインジケーションを送るステップを含む。
【００７２】
図９は、レイヤ２スイッチに参加するＣＵにおいて行われる例示的な動作９００の流れ図を示す。動作９００は、ＣＵがレイヤ２スイッチに参加するときそのＣＵにおいて行われる動作を示すものであり得る。
【００７３】
動作９００は、ＵＥに送達するためにＣＵがダウンリンクデータを発信元ＤＵに送ることで始まる（ブロック９０５）。ＣＵは、ＣＵと発信元ＤＵとの間の経路の解放に参加する（ブロック９１０）。経路が解放されているので、ＣＵは、ＵＥ宛の何らかの追加のダウンリンクデータをバッファする（ブロック９１５）。ＣＵは、ＣＵと宛先ＤＵとの間の経路を確立するのに参加する（ブロック９２０）。ＣＵは、ＵＥに送達するために、バッファされたダウンリンクデータを宛先ＤＵに送る（ブロック９２５）。ＣＵは、アップリンクデータを受信する（ブロック９３０）。
【００７４】
第３の態様では、本願は、ＣＵを動作させるための方法を提供する。この方法は、ＣＵによって、ＣＵと第１のＤＵとの間の第１の経路の解放に参加するステップと、ＣＵによって、モバイルデバイスのための第１のユーザデータを記憶するステップと、ＣＵによって、ＣＵと第２のＤＵとの間の第２の経路の確立に参加するステップと、ＣＵによって、第１のユーザデータを第２のＤＵに送るステップとを含む。
【００７５】
第３の態様による方法の第１の実施形態によれば、この方法は、ＣＵによって、第１の経路を解放する前にモバイルデバイスのための第２のユーザデータを第１のＤＵに送るステップを含む。第３の態様のいずれかの先行する実施形態による方法の第２の実施形態、または第３の態様それ自体によれば、この方法は、ＣＵによって、第２のＤＵから第３のユーザデータを受信するステップを含む。
【００７６】
図１０は、レイヤ２スイッチに参加するＵＥにおいて行われる例示的な動作１０００の流れ図を示す。動作１０００は、ＵＥがレイヤ２スイッチに参加するときそのＵＥにおいて行われる動作を示すものであり得る。
【００７７】
動作１０００は、ＵＥがアップリンクデータを発信元ＤＵに送ることで始まり、アップリンクデータは、ＣＵ宛である（ブロック１００５）。ＵＥは、レイヤ２スイッチ命令（たとえば、ＭＡＣ  ＣＥ）などエアリンクトリガイベントを受信する（ブロック１０１０）。ＵＥは、発信元ＤＵと宛先ＤＵとの間のハンドオーバに参加する（ブロック１０１５）。ＵＥは、宛先ＤＵとＵＥとの間の接続のためのレイヤ２構成情報を受信する（ブロック１０２０）。ＵＥは、宛先ＤＵからダウンリンクデータを受信する（ブロック１０２５）。ＵＥは、アップリンクデータを宛先ＤＵに送り、アップリンクデータは、ＣＵ宛である（ブロック１０３０）。
【００７８】
第４の態様では、本願は、モバイルデバイスを動作させるための方法を提供する。この方法は、モバイルデバイスによって、モバイルデバイスに関連付けられたリンクレイヤを第１のＤＵに転送するようにモバイルデバイスを促すインジケーションを受信するステップと、モバイルデバイスによって、第１のＤＵおよび第２のＤＵとのハンドオーバに参加するステップと、モバイルデバイスによって、第２のＤＵから第１のユーザデータを受信するステップとを含む。
【００７９】
第４の態様による方法の第１の実施形態によれば、この方法は、モバイルデバイスによって、ハンドオーバに参加する前に第２のユーザデータを第１のＤＵに送るステップを含む。第４の態様のいずれかの先行する実施形態による方法の第２の実施形態、または第４の態様それ自体によれば、この方法は、モバイルデバイスによって、レイヤ２構成情報を受信するステップを含む。第４の態様のいずれかの先行する実施形態による方法の第３の実施形態、または第４の態様それ自体によれば、この方法は、モバイルデバイスによって、ハンドオーバに参加した後、第３のユーザデータを第２のＤＵに送るステップを含む。第４の態様のいずれかの先行する実施形態による方法の第４の実施形態、または第４の態様それ自体によれば、レイヤ２構成情報は、モバイルデバイスと第２のＤＵとの間の接続に関する情報を含む。
【００８０】
第５の態様では、本願は、第１のＤＵを提供する。第１のＤＵは、１つまたは複数のプロセッサと、１つまたは複数のプロセッサによって実行するためのプログラミングを記憶するコンピュータ可読記憶媒体とを含む。プログラミングは、第２のＤＵとのリンクレイヤコンテキスト転送に参加し、モバイルデバイスのためのユーザデータ経路であって、モバイルデバイスと通信する無線制御プロトコルエンティティを含むＣＵとモバイルデバイスを接続するユーザデータ経路を確立し、ＣＵから受信されたモバイルデバイスのための第１のユーザデータを記憶し、第２のＤＵから受信されたモバイルデバイスのための第２のユーザデータを記憶し、モバイルデバイスとの接続を確立し、第１のユーザデータおよび第２のユーザデータをモバイルデバイスに送り、ＣＵとモバイルデバイスとの間でデータを交換するために第１のＤＵにおいて動作するようにリンクレイヤコンテキストを適合させるように第１のＤＵを構成するための命令を含み、リンクレイヤコンテキストを適合させることは、第１のＤＵの最上位プロトコルレイヤをＣＵの最下位プロトコルレイヤに関連付けることを含む。
【００８１】
第５の態様による第１のＤＵの第１の実施形態によれば、プログラミングは、第２のＤＵから受信されたＣＵのための第３のユーザデータを記憶し、第３のユーザデータをＣＵに送るように第１のＤＵを構成するための命令を含む。第５の態様のいずれかの先行する実施形態による第１のＤＵの第２の実施形態、または第５の態様それ自体によれば、プログラミングは、第２のＤＵからリンクレイヤコンテキストを受信するように第１のＤＵを構成するための命令を含む。
【００８２】
図１１は、ホストデバイスにインストールされ得る、本明細書に記載の方法を実施するための実施形態の処理システム１１００のブロック図を示す。図のように、処理システム１１００は、プロセッサ１１０４、メモリ１１０６、およびインターフェイス１１１０〜１１１４を含み、これらは図１１に示されているように配置されてよい（またはされなくてよい）。プロセッサ１１０４は、計算および／または他の処理関連のタスクを実行するように適合された任意のコンポーネントまたはコンポーネントの集まりであってよく、メモリ１１０６は、プロセッサ１１０４によって実行するためのプログラミングおよび／または命令を記憶するように適合された任意のコンポーネントまたはコンポーネントの集まりであってよい。一実施形態では、メモリ１１０６は、非一時的なコンピュータ可読媒体を含む。インターフェイス１１１０、１１１２、１１１４は、処理システム１１００が他のデバイス／コンポーネントおよび／またはユーザと通信することを可能にする任意のコンポーネントまたはコンポーネントの集まりであってよい。たとえば、インターフェイス１１１０、１１１２、１１１４のうちの１つまたは複数は、プロセッサ１１０４からのデータ、制御、または管理メッセージを、ホストデバイスおよび／または遠隔デバイス上にインストールされたアプリケーションに通信するように適合されてよい。別の例として、インターフェイス１１１０、１１１２、１１１４のうちの１つまたは複数は、ユーザまたはユーザデバイス（たとえば、パーソナルコンピュータ（ＰＣ）など）が処理システム１１００とインタラクション／通信することを可能にするように適合されてよい。処理システム１１００は、長期ストレージなど（たとえば、不揮発性メモリなど）、図１１に示されていない追加のコンポーネントを含んでもよい。
【００８３】
いくつかの実施形態では、処理システム９００は、遠隔通信ネットワークにアクセスしている、または別の形でその一部であるネットワークデバイス内に含まれる。一例では、処理システム１１００は、基地局、中継局、スケジューラ、コントローラ、ゲートウェイ、ルータ、アプリケーションサーバ、または遠隔通信ネットワーク内の任意の他のデバイスなど、ワイヤレスまたは有線遠隔通信ネットワーク内のネットワーク側デバイス内にある。他の実施形態では、処理システム１１００は、移動局、ユーザ機器（ＵＥ）、パーソナルコンピュータ（ＰＣ）、タブレット、ウェアラブル通信デバイス（たとえば、スマートウォッチなど）、または遠隔通信ネットワークにアクセスするように適合された任意の他のデバイスなど、ワイヤレスまたは有線遠隔通信ネットワークにアクセスするユーザ側デバイス内にある。
【００８４】
いくつかの実施形態では、インターフェイス１１１０、１１１２、１１１４のうちの１つまたは複数は、遠隔通信ネットワークの上でシグナリングを送信および受信するように適合されたトランシーバに処理システム１１００を接続する。図１２は、遠隔通信ネットワークの上でシグナリングを送信および受信するように適合されたトランシーバ１２００のブロック図を示す。トランシーバ１２００は、ホストデバイス内にインストールされてもよい。図のように、トランシーバ１２００は、ネットワーク側インターフェイス１２０２、カプラ１２０４、送信機１２０６、受信機１２０８、信号プロセッサ１２１０、およびデバイス側インターフェイス１２１２を含む。ネットワーク側インターフェイス１２０２は、ワイヤレスまたは有線遠隔通信ネットワークの上でシグナリングを送信および受信するように適合された任意のコンポーネントまたはコンポーネントの集まりを含み得る。カプラ１２０４は、ネットワーク側インターフェイス１２０２の上での双方向通信を容易にするように適合された任意のコンポーネントまたはコンポーネントの集まりを含み得る。送信機１２０６は、ベースバンド信号を、ネットワーク側インターフェイス１２０２の上での送信に適した変調搬送波信号に変換するように適合された任意のコンポーネントまたはコンポーネントの集まり（たとえば、アップコンバータ、電力増幅器など）を含み得る。受信機１２０８は、ネットワーク側インターフェイス１２０２の上で受信された搬送波信号をベースバンド信号に変換するように適合された任意のコンポーネントまたはコンポーネントの集まり（たとえば、ダウンコンバータ、低ノイズ増幅器など）を含み得る。信号プロセッサ１２１０は、ベースバンド信号をデバイス側インターフェイス１２１２の上での通信に適したデータ信号に、またはその逆に変換するように適合された任意のコンポーネントまたはコンポーネントの集まりを含み得る。デバイス側インターフェイス１０１２は、信号プロセッサ１２１０とホストデバイス内のコンポーネント（たとえば、処理システム１１００、ローカルエリアネットワーク（ＬＡＮ）ポートなど）との間でデータ信号を通信するように適合された任意のコンポーネントまたはコンポーネントの集まりを含み得る。
【００８５】
トランシーバ１２００は、任意のタイプの通信媒体の上でシグナリングを送信および受信し得る。いくつかの実施形態では、トランシーバ１２００は、ワイヤレス媒体の上でシグナリングを送信および受信する。たとえば、トランシーバ１２００は、セルラプロトコル（たとえば、ロングタームエボリューション（ＬＴＥ）など）、ワイヤレスローカルエリアネットワーク（ＷＬＡＮ）プロトコル（たとえば、Ｗｉ−Ｆｉなど）、または任意の他のタイプのワイヤレスプロトコル（たとえば、Ｂｌｕｅｔｏｏｔｈ（登録商標）、近距離通信（ＮＦＣ）など）など、ワイヤレス遠隔通信プロトコルに従って通信するように適合されたワイヤレストランシーバであってよい。そのような実施形態では、ネットワーク側インターフェイス１２０２は、１つまたは複数のアンテナ／放射要素を含む。たとえば、ネットワーク側インターフェイス１２０２は、単一のアンテナ、複数の別々のアンテナ、またはマルチレイヤ通信、たとえば単一入力・多重出力（ＳＩＭＯ）、多重入力・単一出力（ＭＩＳＯ）、多重入力・多重出力（ＭＩＭＯ）などのために構成されたマルチアンテナアレイを含み得る。他の実施形態では、トランシーバ１２００は、有線媒体、たとえばツイストペアケーブル、同軸ケーブル、光ファイバなどの上でシグナリングを送信および受信する。特定の処理システムおよび／またはトランシーバは、示されている構成要素のすべて、または構成要素のサブセットだけを使用し得、統合のレベルは、デバイスごとに変わり得る。
【００８６】
本明細書に提供されている実施形態の方法の１つまたは複数のステップは、対応するユニットまたはモジュールによって実行され得ることを理解されたい。たとえば、信号は、送信ユニットまたは送信モジュールによって送信され得る。信号は、受信ユニットまたは受信モジュールによって受信され得る。信号は、処理ユニットまたは処理モジュールによって処理され得る。他のステップは、転送ユニット／モジュール、記憶ユニット／モジュール、確立ユニット／モジュール、および適合ユニット／モジュールによって実行され得る。それぞれのユニット／モジュールは、ハードウェア、ソフトウェア、またはそれらの組合せであってよい。たとえば、ユニット／モジュールの１つまたは複数は、フィールドプログラマブルゲートアレイ（ＦＰＧＡ）または特定用途向け集積回路（ＡＳＩＣ）など集積回路であってよい。
【００８７】
本開示、およびその利点について詳細に記載されているが、添付の特許請求の範囲によって定義される本開示の精神および範囲から逸脱することなしに、様々な変更、代替、および改変を本明細書においてなすことができることを理解されたい。
【図１】
2019517760.tif 000004
【図２】
2019517760.tif 000005
【図３】
2019517760.tif 000006
【図４】
2019517760.tif 000007
【図５】
2019517760.tif 000008
【図６】
2019517760.tif 000009
【図７Ａ】
2019517760.tif 000010
【図７Ｂ】
2019517760.tif 000011
【図８Ａ】
2019517760.tif 000012
【図８Ｂ】
2019517760.tif 000013
【図９】
2019517760.tif 000014
【図１０】
2019517760.tif 000015
【図１１】
2019517760.tif 000016
【図１２】
2019517760.tif 000017
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
第１の分散ユニット（ＤＵ）を動作させるための方法であって、
前記第１のＤＵによって、第２のＤＵとのリンクレイヤコンテキストの転送に参加するステップと、
前記第１のＤＵによって、モバイルデバイスのためのユーザデータ経路を確立するステップであって、前記ユーザデータ経路は、前記モバイルデバイスと通信する無線制御プロトコルエンティティを含む集中ユニット（ＣＵ）と前記モバイルデバイスを接続する、ステップと、
前記第１のＤＵによって、前記ＣＵから受信された前記モバイルデバイスのための第１のユーザデータを記憶するステップと、
前記第１のＤＵによって、前記第２のＤＵから受信された前記モバイルデバイスのための第２のユーザデータを記憶するステップと、
前記第１のＤＵによって、前記モバイルデバイスとの接続を確立するステップと、
前記第１のＤＵによって、前記第１のユーザデータおよび前記第２のユーザデータを前記モバイルデバイスに送るステップと、
前記第１のＤＵによって、前記ＣＵと前記モバイルデバイスとの間でデータを交換するために前記第１のＤＵにおいて動作するように前記リンクレイヤコンテキストを適合させるステップとを含み、前記リンクレイヤコンテキストを適合させるステップは、前記第１のＤＵの最上位プロトコルレイヤを前記ＣＵの最下位プロトコルレイヤに関連付けるステップを含む方法。
【請求項２】
前記第１のＤＵによって、前記第２のＤＵから受信された前記ＣＵのための第３のユーザデータを記憶するステップと、
前記第１のＤＵによって、前記第３のユーザデータを前記ＣＵに送るステップと
をさらに含む請求項１に記載の方法。
【請求項３】
前記第１のユーザデータは、前記第２のユーザデータを送るステップの後に送られる請求項１または２に記載の方法。
【請求項４】
前記第１のＤＵは、宛先ＤＵであり、前記第２のＤＵは、発信元ＤＵである請求項１乃至３のいずれか一項に記載の方法。
【請求項５】
前記リンクレイヤコンテキストの転送に参加するステップは、前記第２のＤＵから前記リンクレイヤコンテキストを受信するステップを含む請求項１乃至４のいずれか一項に記載の方法。
【請求項６】
前記リンクレイヤコンテキストは、前記モバイルデバイスのためのものである請求項１乃至３のいずれか一項に記載の方法。
【請求項７】
第２の分散ユニット（ＤＵ）を動作させるための方法であって、
前記第２のＤＵによって、第１のＤＵとのリンクレイヤコンテキストの転送に参加するステップと、
前記第２のＤＵによって、モバイルデバイスと通信する無線制御プロトコルエンティティを含む集中ユニット（ＣＵ）との前記モバイルデバイスのためのユーザデータ経路を解放するステップと、
前記第２のＤＵによって、前記ＣＵから受信された前記モバイルデバイスのための第１のユーザデータを記憶するステップと、
前記第２のＤＵによって、前記モバイルデバイスとの接続が確立されていることを示す第１のインジケーションを受信するステップと、
前記第２のＤＵによって、前記第１のユーザデータを前記モバイルデバイスに送るステップとを含む方法。
【請求項８】
前記第２のＤＵによって、前記モバイルデバイスから受信された前記ＣＵのための第２のユーザデータを記憶するステップと、
前記第２のＤＵによって、前記第１のインジケーションを受信した後、前記第２のユーザデータを前記ＣＵに送るステップと
をさらに含む請求項７に記載の方法。
【請求項９】
前記第２のＤＵによって、前記モバイルデバイスに関連付けられたリンクレイヤを前記第１のＤＵに転送するように前記モバイルデバイスを促す第２のインジケーションを送るステップ
をさらに含む請求項７または８に記載の方法。
【請求項１０】
集中ユニット（ＣＵ）を動作させるための方法であって、
前記ＣＵによって、前記ＣＵと第１の分散ユニット（ＤＵ）との間の第１の経路の解放に参加するステップと、
前記ＣＵによって、モバイルデバイスのための第１のユーザデータを記憶するステップと、
前記ＣＵによって、前記ＣＵと第２のＤＵとの間の第２の経路の確立に参加するステップと、
前記ＣＵによって、前記第１のユーザデータを前記第２のＤＵに送るステップとを含む方法。
【請求項１１】
前記ＣＵによって、前記第１の経路を解放する前に前記モバイルデバイスのための第２のユーザデータを前記第１のＤＵに送るステップをさらに含む請求項１０に記載の方法。
【請求項１２】
前記ＣＵによって、前記第２のＤＵから第３のユーザデータを受信するステップをさらに含む請求項１０または１１に記載の方法。
【請求項１３】
モバイルデバイスを動作させるための方法であって、
前記モバイルデバイスによって、前記モバイルデバイスに関連付けられたリンクレイヤを第１の分散ユニット（ＤＵ）に転送するように前記モバイルデバイスを促すインジケーションを受信するステップと、
前記モバイルデバイスによって、前記第１のＤＵおよび第２のＤＵとのハンドオーバに参加するステップと、
前記モバイルデバイスによって、前記第２のＤＵから第１のユーザデータを受信するステップとを含む方法。
【請求項１４】
前記モバイルデバイスによって、前記ハンドオーバに参加する前に第２のユーザデータを前記第１のＤＵに送るステップをさらに含む請求項１３に記載の方法。
【請求項１５】
前記モバイルデバイスによって、レイヤ２構成情報を受信するステップをさらに含む請求項１３または１４に記載の方法。
【請求項１６】
前記モバイルデバイスによって、前記ハンドオーバに参加した後、第３のユーザデータを前記第２のＤＵに送るステップをさらに含む請求項１５に記載の方法。
【請求項１７】
前記レイヤ２構成情報は、前記モバイルデバイスと前記第２のＤＵとの間の接続に関する情報を含む請求項１５または１６に記載の方法。
【請求項１８】
１つまたは複数のプロセッサと、
前記１つまたは複数のプロセッサによって実行するためのプログラミングを記憶するコンピュータ可読記憶媒体と
を含む第１の分散ユニット（ＤＵ）であって、前記プログラミングは、請求項１乃至９のいずれか一項に記載の方法を実行するように前記第１のＤＵを構成するための命令を含み、前記リンクレイヤコンテキストを適合させることは、前記第１のＤＵの最上位プロトコルレイヤを前記ＣＵの最下位プロトコルレイヤに関連付けることを含む、第１のＤＵ。
【請求項１９】
１つまたは複数のプロセッサと、
前記１つまたは複数のプロセッサによって実行するためのプログラミングを記憶するコンピュータ可読記憶媒体と
を含む集中ユニット（ＣＵ）であって、前記プログラミングは、請求項１０乃至１２のいずれか一項に記載の方法を実行するように前記第１のＤＵを構成するための命令を含む、ＣＵ。
【請求項２０】
１つまたは複数のプロセッサと、
前記１つまたは複数のプロセッサによって実行するためのプログラミングを記憶するコンピュータ可読記憶媒体と
を含むモバイルデバイスであって、前記プログラミングは、請求項１３乃至１７のいずれか一項に記載の方法を実行するように前記第１のＤＵを構成するための命令を含む、モバイルデバイス。
【請求項２１】
請求項１乃至１７のいずれか一項に記載の方法を実行するように適合されたプログラム。
【請求項２２】
コンピュータによって実行されたとき、前記コンピュータに請求項１乃至１７のいずれか一項に記載の方法を実行させる命令を含むコンピュータ可読記憶媒体。
【手続補正２】
【補正対象書類名】明細書
【補正対象項目名】００５６
【補正方法】変更
【補正の内容】
【００５６】
リロケーション判断が、リンク監視、およびその測定に基づいてなされる（ブロック６１７）。リロケーション判断は、発信元ＤＵ６０９、宛先ＤＵ６０７、および／またはＣＵ６１１によってなされてもよい。発信元ＤＵ６０９および宛先ＤＵ６０７が、コンテキスト転送に参加する（イベント６１９）。発信元ＤＵ６０９およびＣＵ６１１がレイヤ２経路解放に参加する（イベント６２１）。レイヤ２経路解放手順の完了後、ＵＥ６０５は、引き続きアップリンクデータを発信元ＤＵ６０９に送ってもよい（イベント６２３）。しかし、レイヤ２経路は解放されているので、それ以上のアップリンクデータをＣＵ６１１に送ることができず、発信元ＤＵ６０９は、ＵＥ６０５からのデータをＲＬＣ  ＰＤＵの形態でバッファする（ブロック６２５）。発信元ＤＵ６０９は、宛先ＤＵ６０７とのレイヤ２スイッチが完了するまで、ＵＥ６０５からのＲＬＣ  ＰＤＵをバッファする。
【手続補正３】
【補正対象書類名】明細書
【補正対象項目名】００５７
【補正方法】変更
【補正の内容】
【００５７】
宛先ＤＵ６０７およびＣＵ６１１は、レイヤ２経路確立に参加する（イベント６２７）。発信元ＤＵ６０９は、任意選択で、レイヤ２スイッチ命令（たとえば、ＭＡＣ  ＣＥ）などエアリンクトリガイベントをＵＥ６０５に送る（イベント６２９）。ＵＥ６０５と宛先ＤＵ６０７との間の活動（イベント６３１）が行われ、宛先ＤＵ６０７は、ハンドオーバ完了インジケーションを発信元ＤＵ６０９に送る（イベント６３３）。発信元ＤＵ６０９は、バッファされたアップリンクデータを宛先ＤＵ６０７に送る（イベント６３５）。バッファされたアップリンクデータは、宛先ＤＵ６０７がＣＵ６１１とのレイヤ２経路を有するので、宛先ＤＵ６０７に送られる。さらに、宛先ＤＵ６０７は発信元ＤＵ６０９からのすべてのアップリンクデータを有するので、宛先ＤＵ６０７は、宛先ＤＵ６０７がＵＥ６０５からのアップリンクデータを送る前に、いつ発信元ＤＵ６０９からのすべてのアップリンクデータがＣＵ６１１に送られたか知っている。宛先ＤＵ６０７による制御は、ＣＵ６１１がアップリンクデータを再順序付けしなければならないことを防止する。最後に、宛先ＤＵ６０７へのＲＬＣ  ＰＤＵの転送は、ＰＤＵが宛先ＤＵ６０７内でＲＬＣプロトコルエンティティによって処理されることを可能にし、宛先ＤＵ６０７は、ＵＥとのエアリンク接続を必要とする手順、たとえば、ＲＬＣ肯定応答モード（ＲＬＣ  ＡＭ）を使用して送信されたＰＤＵについて肯定応答をＵＥに送達することを実行することができる。
【手続補正４】
【補正対象書類名】明細書
【補正対象項目名】００５８
【補正方法】変更
【補正の内容】
【００５８】
宛先ＤＵ６０７は、アップリンクデータをＣＵ６１１に送る（イベント６３７）。宛先ＤＵ６０７は、レイヤ２構成情報をＵＥ６０５に送る（イベント６３９）。レイヤ２構成情報は、ＵＥ６０５がアップリンク情報を宛先ＤＵ６０７に送ることを可能にするための情報をＵＥ６０５に提供する。ＵＥ６０５は、アップリンクデータを宛先ＤＵ６０７に送る（イベント６４１）。宛先ＤＵ６０７は、発信元ＤＵ６０９からのすべてのアップリンクデータがＣＵ６１１に送られるまでＵＥ６０５からのアップリンクデータをバッファし（ブロック６４３）、その時点で、宛先ＤＵ６０７は、ＵＥ６０５からのアップリンクデータをＣＵ６１１に送る（イベント６４５）。ブロック６４５は、レイヤ２スイッチが行われた後のレイヤ２データ経路を示す。
【手続補正５】
【補正対象書類名】明細書
【補正対象項目名】００８３
【補正方法】変更
【補正の内容】
【００８３】
いくつかの実施形態では、処理システム１１００は、遠隔通信ネットワークにアクセスしている、または別の形でその一部であるネットワークデバイス内に含まれる。一例では、処理システム１１００は、基地局、中継局、スケジューラ、コントローラ、ゲートウェイ、ルータ、アプリケーションサーバ、または遠隔通信ネットワーク内の任意の他のデバイスなど、ワイヤレスまたは有線遠隔通信ネットワーク内のネットワーク側デバイス内にある。他の実施形態では、処理システム１１００は、移動局、ユーザ機器（ＵＥ）、パーソナルコンピュータ（ＰＣ）、タブレット、ウェアラブル通信デバイス（たとえば、スマートウォッチなど）、または遠隔通信ネットワークにアクセスするように適合された任意の他のデバイスなど、ワイヤレスまたは有線遠隔通信ネットワークにアクセスするユーザ側デバイス内にある。
【手続補正６】
【補正対象書類名】明細書
【補正対象項目名】００８４
【補正方法】変更
【補正の内容】
【００８４】
いくつかの実施形態では、インターフェイス１１１０、１１１２、１１１４のうちの１つまたは複数は、遠隔通信ネットワークの上でシグナリングを送信および受信するように適合されたトランシーバに処理システム１１００を接続する。図１２は、遠隔通信ネットワークの上でシグナリングを送信および受信するように適合されたトランシーバ１２００のブロック図を示す。トランシーバ１２００は、ホストデバイス内にインストールされてもよい。図のように、トランシーバ１２００は、ネットワーク側インターフェイス１２０２、カプラ１２０４、送信機１２０６、受信機１２０８、信号プロセッサ１２１０、およびデバイス側インターフェイス１２１２を含む。ネットワーク側インターフェイス１２０２は、ワイヤレスまたは有線遠隔通信ネットワークの上でシグナリングを送信および受信するように適合された任意のコンポーネントまたはコンポーネントの集まりを含み得る。カプラ１２０４は、ネットワーク側インターフェイス１２０２の上での双方向通信を容易にするように適合された任意のコンポーネントまたはコンポーネントの集まりを含み得る。送信機１２０６は、ベースバンド信号を、ネットワーク側インターフェイス１２０２の上での送信に適した変調搬送波信号に変換するように適合された任意のコンポーネントまたはコンポーネントの集まり（たとえば、アップコンバータ、電力増幅器など）を含み得る。受信機１２０８は、ネットワーク側インターフェイス１２０２の上で受信された搬送波信号をベースバンド信号に変換するように適合された任意のコンポーネントまたはコンポーネントの集まり（たとえば、ダウンコンバータ、低ノイズ増幅器など）を含み得る。信号プロセッサ１２１０は、ベースバンド信号をデバイス側インターフェイス１２１２の上での通信に適したデータ信号に、またはその逆に変換するように適合された任意のコンポーネントまたはコンポーネントの集まりを含み得る。デバイス側インターフェイス１２１２は、信号プロセッサ１２１０とホストデバイス内のコンポーネント（たとえば、処理システム１１００、ローカルエリアネットワーク（ＬＡＮ）ポートなど）との間でデータ信号を通信するように適合された任意のコンポーネントまたはコンポーネントの集まりを含み得る。
【国際調査報告】
2019517760.tif 000018
2019517760.tif 000019